(57)【要約】【課題】複数波長対応型の光ピックアップにおいて、受光部での光強度分布ずれを抑制して安定した信号が得られるようにする。【解決手段】光ディスクで反射した反射光の０次光Ｚの中心ビームＺ０のハーフミラー３への入射角をθとしたとき、各光ディスクに対応するいずれかの波長において、θから＋側への入射角の変化に対しミラー３の透過率の変動が最大となる場合は、０次光Ｚに対して−側に生成される−１次光Ｍを受光部８で受光し、θから−側への入射角の変化に対しミラー３の透過率の変動が最大となる場合は、０次光Ｚに対して＋側に生成される＋１次光Ｐを受光部８で受光して、受光した１次光をサーボ制御用信号の検出に用いる。【選択図】図２
2008059646.tif 000002
【特許請求の範囲】
【請求項１】
波長がλ１，λ２，λ３（λ１＞λ２＞λ３）の３種類のレーザ光を投射する複数の発光素子を有し、ＣＤ（Compact  Disc）に対しては波長λ１の赤外レーザ光を光ディスクの情報記録面に投射し、ＤＶＤ（Digital  Versatile  Disc）に対しては波長λ２の赤色レーザ光を光ディスクの情報記録面に投射し、ＢＤ（Blu−ray  Disc）またはＨＤ−ＤＶＤ（High  Definition  Digital  Versatile  Disc）に対しては波長λ３の青色レーザ光を光ディスクの情報記録面に投射し、前記情報記録面で反射した反射光を回折光学素子およびビームスプリッタを介して受光部で受光し、当該光ディスクの情報を読み取る光ピックアップにおいて、
前記回折光学素子はホログラム素子からなり、
前記受光部は、反射光の０次光を受光する第１の受光部と、反射光の回折１次光を受光する第２の受光部とからなり、
０次光の中心ビームのビームスプリッタへの入射角をθとし、各光ディスクに対応するいずれかの波長λ１，λ２，λ３において、θから＋側または−側への入射角の変化に対しビームスプリッタの透過率または反射率の変動が最大となる場合に、前記ホログラム素子により０次光に対して前記＋側または−側と反対側に生成される回折１次光を前記第２の受光部で受光し、受光した回折１次光をサーボ制御用信号の検出に用いることを特徴とする光ピックアップ。
【請求項２】
波長の異なる複数のレーザ光を投射する複数の発光素子を有し、各波長のレーザ光をそれぞれに対応する光ディスクの情報記録面に投射し、前記情報記録面で反射した反射光を回折光学素子およびビームスプリッタを介して受光部で受光し、当該ディスクの情報を読み取る光ピックアップにおいて、
前記受光部は、反射光の０次光を受光する第１の受光部と、反射光の回折１次光を受光する第２の受光部とからなり、
０次光の中心ビームのビームスプリッタへの入射角をθとし、各光ディスクに対応するいずれかの波長において、θから＋側または−側への入射角の変化に対しビームスプリッタの透過率または反射率の変動が最大となる場合に、前記回折光学素子により０次光に対して前記＋側または−側と反対側に生成される回折１次光を前記第２の受光部で受光し、受光した回折１次光をサーボ制御用信号の検出に用いることを特徴とする光ピックアップ。
【発明の詳細な説明】
【技術分野】
【０００１】
本発明は、ＤＶＤレコーダやパーソナルコンピュータ等において光ディスクの情報を読み取るために用いられる光ピックアップに関する。
【背景技術】
【０００２】
画像や音声等を記録するメディアとして、ＤＶＤ（Digital  Versatile  Disc）やＣＤ（Compact  Disc）などの光ディスクは今日広く普及している。また、最近では、更に大容量のデータを記録することが可能なブルーレイディスク（Blu−ray  Disc；登録商標）や、ＨＤ−ＤＶＤ（High  Definition  Digital  Versatile  Disc）などの新しい光ディスクも登場している。
【０００３】
このような光ディスクにおいては、ディスクの情報記録面に所定の波長のレーザ光を投射し、その反射光を受光することにより情報の読み取りやサーボ制御が行われる。レーザ光の波長は、光ディスクの種類に応じて異なる。たとえば、ＣＤの場合は波長が７８０ｎｍの赤外レーザ光、ＤＶＤの場合は波長が６５０ｎｍの赤色レーザ光、ＢＤ（ブルーレイディスク）やＨＤ−ＤＶＤの場合は波長が４１０ｎｍの青色レーザ光が用いられる。このため、光ピックアップにおいても、複数のメディアに対応できるものが要求される。
【０００４】
下記の特許文献１には、ＣＤとＤＶＤの双方に対して記録再生ができるように、２つのレーザ光源を備えた光ピックアップが記載されている。また、特許文献２には、ＣＤとＤＶＤのほかＢＤなどに対しても記録再生ができるように、３つのレーザ光源を備えた光ピックアップが記載されている。
【特許文献１】特開２００４−１３９７０９号公報
【特許文献２】特開２００４−１０３１３５号公報
【発明の開示】
【発明が解決しようとする課題】
【０００５】
ところで、一般に光ピックアップにおいては、光源からのレーザ光をビームスプリッタを介して光ディスクの情報記録面に投射するとともに、情報記録面で反射した反射光をビームスプリッタを介して受光部で受光するように構成されている。ビームスプリッタとしては、たとえばハーフミラー（以下単に「ミラー」ともいう。）が用いられるが、このミラーの透過率は、レーザ光の波長に依存するとともに、レーザ光のミラーへの入射角にも依存する。
【０００６】
図６は、ミラーの透過率の波長依存性と入射角依存性の一例を示したグラフである。図７は、図６を説明するための受光系の一例である。図７において、３はハーフミラー、４はコリメートレンズ、８は受光部である。図示しない発光素子から投射され光ディスクで反射した反射光（ここでは０次光Ｚのみ図示）は、コリメートレンズ４およびハーフミラー３を介して受光部８へ集光される。ここで、反射光Ｚは一定幅のビーム径を有していることから、中心ビームＺ０のミラー３への入射角をθとすると、外側ビームＺ１のミラー３への入射角θ１はθ１＞θとなり、外側ビームＺ２のミラー３への入射角θ２はθ２＜θとなる。
【０００７】
いま、θ１およびθ２を、θ１＝θ＋１０°、θ２＝θ−１０°とした場合の、各波長における透過率の変化の様子をグラフで示したものが図６である。図６の実線は、中心ビームＺ０（入射角：θ）に対する透過率、一点鎖線は外側ビームＺ１（入射角：θ１＝θ＋１０°）に対する透過率、破線は外側ビームＺ２（入射角：θ２＝θ−１０°）に対する透過率をそれぞれ表している。
【０００８】
図６において、ＣＤに対応する波長７８０ｎｍと、ＤＶＤに対応する波長６５０ｎｍと、ＢＤ（ＨＤ−ＤＶＤも同じ）に対応する波長４１０ｎｍのそれぞれにおける透過率の変動をみると、７８０ｎｍ（ＣＤ）の場合は、破線より一点鎖線のほうが変動（実線との差）が大きく、この波長ではθより大きな角度（θ１＝θ＋１０°）で入射する光に対して透過率の変動が大きいことがわかる。一方、６５０ｎｍ（ＤＶＤ）の場合は、一点鎖線より破線のほうが変動が大きく、この波長ではθより小さい角度（θ２＝θ−１０°）で入射する光に対して透過率の変動が大きいことがわかる。また、４１０ｎｍ（ＢＤ、ＨＤ−ＤＶＤ）の場合も、一点鎖線より破線のほうが変動が大きく、この波長ではθより小さい角度（θ２＝θ−１０°）で入射する光に対して透過率の変動が大きいことがわかる。
【０００９】
このように、ミラー３における透過率は、使用するレーザ光の波長によって変化し、また、反射光のミラーへの入射角によっても変化するが、ＣＤとＤＶＤとを比較してみると、図６からわかるように、透過率にそれほど極端な差はない。ところが、ＢＤ（ＨＤ−ＤＶＤ）とＣＤ・ＤＶＤとを比較すると、これらの間には大きな透過率の差が存在する。したがって、ＣＤとＤＶＤだけに対応する２波長互換型の光ピックアップの場合は、透過率の波長依存性や入射角依存性の影響が小さいのに対し、ＣＤとＤＶＤのほかにＢＤやＨＤ−ＤＶＤにも対応する３波長互換型の光ピックアップの場合は、透過率の波長依存性や入射角依存性の影響が大きくなる。
【００１０】
透過率が入射角に依存すると、レーザ光の中心と外側とでミラー３の透過率が異なり、例えば図７で外側ビームＺ１に対する透過率が高く、外側ビームＺ２に対する透過率が低いと、外側ビームＺ１の透過光量が増加し、外側ビームＺ２の透過光量が減少するので、受光部８で受光される光スポットの強度は、中心ビームＺ０の受光点に対してＺ１側にシフトした位置で最大となる。一方、図７で外側ビームＺ１に対する透過率が低く、外側ビームＺ２に対する透過率が高いと、外側ビームＺ１の透過光量が減少し、外側ビームＺ２の透過光量が増加するので、受光部８で受光される光スポットの強度は、中心ビームＺ０の受光点に対してＺ２側にシフトした位置で最大となる。図８は、受光部８の受光面上における光強度の分布（ガウス分布）を示しており、上述したような入射角による透過率の差により、破線で示すように光強度分布のシフトが生じる。
【００１１】
ところで、図７では０次光Ｚのみを示したが、実際には０次光Ｚのほかに、回折光学素子で回折されたサーボ制御用の＋１次光や−１次光が存在する。これらの回折１次光は０次光Ｚの両側に存在するので、０次光Ｚの中心ビームＺ０からみた外側ビームＺ１や外側ビームＺ２と同じように、回折１次光に対するミラー３の透過率は入射角に依存して変動する。このため、回折１次光に基づいてトラッキングエラー信号の検出を行う場合、透過率の変動により光強度分布のシフトが生じると、トラッキングエラー信号にオフセットが生じ、トラッキング制御の精度が低下するという問題がある。こうしたことから、透過率の入射角依存性に基因する光強度分布ずれを抑制して、安定した受光信号が得られる光学系の設計が必要となるが、前述の特許文献１や特許文献２には上記問題を解決するための方策については記載されていない。
【００１２】
本発明は、上述した課題に鑑み、複数波長対応型の光ピックアップにおいて、受光部での光強度分布ずれを抑制して安定した信号が得られるようにすることを目的としている。
【課題を解決するための手段】
【００１３】
本発明に係る光ピックアップは、波長の異なる複数のレーザ光を投射する複数の発光素子を有し、各波長のレーザ光をそれぞれに対応する光ディスクの情報記録面に投射し、情報記録面で反射した反射光を回折光学素子およびビームスプリッタを介して受光部で受光し、当該ディスクの情報を読み取る光ピックアップであって、受光部は、反射光の０次光を受光する第１の受光部と、反射光の回折１次光を受光する第２の受光部とからなる。そして、０次光の中心ビームのビームスプリッタへの入射角をθとし、各光ディスクに対応するいずれかの波長において、θから＋側または−側への入射角の変化に対しビームスプリッタの透過率または反射率の変動が最大となる場合に、回折光学素子により０次光に対して＋側または−側と反対側に生成される回折１次光を第２の受光部で受光し、受光した回折１次光をサーボ制御用信号の検出に用いるようにしている。
【００１４】
本発明においては、ビームスプリッタの透過率（反射率）の変動が最大となる波長を基準とし、この波長において当該変動がθより入射角の大きい側（＋側）で生じる場合は、θより入射角が小さい側（−側）の回折１次光をサーボ制御用信号の検出に用い、当該変動がθより入射角の小さい側（−側）で生じる場合は、θより入射角が大きい側（＋側）の回折１次光をサーボ制御用信号の検出に用いる。このように、透過率（反射率）の変動が最大となる波長に照準を合わせ、変動の小さい側の回折１次光を使用することで、全体として透過率（反射率）の入射角依存性の影響を最も小さくすることができ、受光部での光強度分布ずれを軽減することができる。この結果、回折１次光に基づいてトラッキングエラー信号の検出を行う場合、光強度分布ずれによるオフセットが低減されて、トラッキング制御の精度が向上する。
【００１５】
本発明の典型的な実施形態では、波長がλ１，λ２，λ３（λ１＞λ２＞λ３）の３種類のレーザ光を投射する複数の発光素子が設けられる。ＣＤに対しては波長λ１の赤外レーザ光を光ディスクの情報記録面に投射し、ＤＶＤに対しては波長λ２の赤色レーザ光を光ディスクの情報記録面に投射し、ＢＤまたはＨＤ−ＤＶＤに対しては波長λ３の青色レーザ光を光ディスクの情報記録面に投射する。また、本発明の典型的な実施形態では、回折１次光を生成する回折光学素子はホログラム素子からなる。
【発明の効果】
【００１６】
本発明によれば、複数波長対応型の光ピックアップにおいて、ビームスプリッタの透過率が入射角に依存することに基因する受光部での光強度分布ずれを抑制して、オフセットの少ない安定した信号を得ることができる。
【発明を実施するための最良の形態】
【００１７】
以下、本発明の実施形態につき図面を参照しながら説明する。図１は、本発明に係る光ピックアップ１００の光学的構成を示す図である。１ａはＣＤとＤＶＤ用の第１の発光素子であって、波長が７８０ｎｍの赤外レーザ光および波長が６５０ｎｍの赤色レーザ光をそれぞれ投射する２個の半導体レーザからなる。１ｂはＢＤとＨＤ−ＤＶＤ用の第２の発光素子であって、波長が４１０ｎｍの青色レーザ光を投射する半導体レーザからなる。２はプリズムであって、発光素子１ａからのレーザ光を透過して直進させるとともに、発光素子１ｂからのレーザ光を反射して光路を９０°変更させる。３はビームスプリッタを構成するハーフミラーであって、プリズム２を通った光を９０°の角度でコリメートレンズ４側へ反射するとともに、コリメートレンズ４からの光はそのまま透過させる。コリメートレンズ４は、ハーフミラー３で反射されたレーザ光を平行光に変換するレンズである。５はコリメートレンズ４を通った光を９０°の角度で上向きに反射する全反射ミラー、６は回折光学素子を構成するホログラム素子、７は光ディスク９の情報記録面９ａ上にレーザ光を集光させる対物レンズ、８は光ディスク９の情報記録面９ａで反射した光を各光学部品３〜７を介して受光する受光部である。
【００１８】
発光素子１ａ，１ｂから投射されたレーザ光は、プリズム２を介してハーフミラー３で９０°反射され、コリメートレンズ４で平行光に変換された後、全反射ミラー５、回折光学素子６および対物レンズ７を介して、光ディスク９の情報記録面９ａに集光され、微小な光スポットを形成する。また、情報記録面９ａで反射された反射光は、回折光学素子６で０次光と１次光に分光された後、全反射ミラー５、コリメートレンズ４およびハーフミラー３を介して受光部８で受光される。
【００１９】
図２は、受光部８、ハーフミラー３、コリメートレンズ４を含む受光系を示した図である。Ｚは図７で示したのと同じ０次光、Ｐはホログラム素子６での回折により生成される＋１次光、Ｍはホログラム素子６での回折により生成される−１次光を示している。本発明では、後述するように＋１次光Ｐと−１次光Ｍのいずれか一方のみを使用するが、便宜上図２では双方を図示してある。０次光Ｚは、光ディスク９の情報記録面９ａに記録されている情報を再生するために用いられ、＋１次光Ｐと−１次光Ｍはトラッキングエラーやフォーカスエラーなどを検出するために用いられる。Ｚ０、Ｐ０、Ｍ０はそれぞれ０次光、＋１次光、−１次光の中心ビーム、Ｚ１、Ｐ１、Ｍ１およびＺ２、Ｐ２、Ｍ２はそれぞれ０次光、＋１次光、−１次光の外側ビームである。０次光Ｚの中心ビームＺ０に対して、＋１次光Ｐはハーフミラー３への入射角がθより大きくなる側（＋側）に形成され、−１次光Ｍはハーフミラー３への入射角がθより小さくなる側（−側）に形成されている。
【００２０】
以上の構成において、ハーフミラー３として、前述した図６のような透過率特性をもつミラーを用いるものとする。なお、透過率に代えて反射率（＝１００−透過率［％］）を用いても同じであるが、以下では透過率で説明する。図６において、ＣＤ、ＤＶＤ、ＢＤ（ＨＤ−ＤＶＤ）に対応する各波長での透過率の入射角依存性、換言すれば、入射角の変化（図２のθに対して＋側または−側への変化）に対する透過率の変動を比較すると、ＣＤの＋側において透過率の変動量δが最も大きくなっていることがわかる。そこで、本実施形態では、ＣＤに対応する波長（７８０ｎｍ）における透過率の入射角依存性を基準とし、このときの透過率の最大変動が生じている＋側とは反対側の、−側に生成される回折１次光をサーボ制御用信号の検出に用いる。図２では、θに対して−側にあるのは−１次光Ｍであるから、この−１次光Ｍが使用される。このため、０次光Ｚと、回折１次光のうちの−１次光Ｍのみが受光部８で受光されるように、受光部８の受光素子を配置する。
【００２１】
図３は、受光部８における受光素子の配置の例を示した図である。受光部８は、ホログラム素子６で分光された０次光Ｚを受光する受光部１０（第１の受光部）と、ホログラム素子６で分光された−１次光Ｍを受光する受光部１１（第２の受光部）とからなる。図２では便宜上、−１次光Ｍを１つしか示さなかったが、実際には−１次光Ｍは、ホログラム素子６により４つの−１次光（図４のＭａ〜Ｍｄ）に分けられる。このため、受光部１１はそれぞれの−１次光を受光する４つの受光素子１１ａ〜１１ｄから構成される。これらの受光素子１１ａ〜１１ｄは、光ディスク９の径方向と平行な方向（図３のＸ方向）に配列されている。
【００２２】
それぞれの受光素子１１ａ〜１１ｄは、配列方向と直交する方向（図３のＹ方向）に分割された３つの受光セルから構成される。Ａ１〜Ａ３は受光素子１１ａを構成する受光セル、Ｂ１〜Ｂ３は受光素子１１ｂを構成する受光セル、Ｃ１〜Ｃ３は受光素子１１ｃを構成する受光セル、Ｄ１〜Ｄ３は受光素子１１ｄを構成する受光セルである。各受光素子における３つの受光セルは、中央に位置する幅広の受光セル（Ａ２，Ｂ２，Ｃ２，Ｄ２）と、その片側に位置する幅広の受光セル（Ａ１，Ｂ３，Ｃ１，Ｄ３）と、他の片側に位置する幅狭の受光セル（Ａ３，Ｂ１，Ｃ３，Ｄ１）とからなる。受光部１０の中心を原点Ｏとして図のようにＸ軸，Ｙ軸を設定したとき、中央の受光セルＡ２，Ｂ２，Ｃ２，Ｄ２はＸ軸上に並んでいる。したがって、受光素子１１ａ〜１１ｄのそれぞれは、Ｘ軸に対して非対称となるように配置されている。また、隣接する受光素子（例えば１１ａと１１ｂ）における３つの受光セルの配列関係は逆となっている。
【００２３】
図４は、０次光および−１次光の受光状態を模式的に示した図である。Ｚは０次光、Ｍａ〜Ｍｄは４つに分光された−１次光である。０次光Ｚは受光部１０で受光される。この０次光Ｚは、光ディスク９に記録されている情報を読み取るためのもので、受光部１０からの出力信号に基づいて再生信号が生成される。−１次光Ｍａ〜Ｍｄは、それぞれ受光素子１１ａ〜１１ｄで受光される。この場合、−１次光Ｍａ，Ｍｄは同じ焦点距離（第１の焦点距離）を有していて、受光素子１１ａ，１１ｄの受光面より前方で焦点ｆａ，ｆｄを形成する。また、−１次光Ｍｂ，Ｍｃは同じ焦点距離（第２の焦点距離）を有していて、受光素子１１ｂ，１１ｃの受光面より後方で焦点ｆｂ，ｆｃを形成する。これらの−１次光Ｍａ〜Ｍｄは、フォーカスエラーおよびトラッキングエラーを検出するためのもので、受光素子１１ａ〜１１ｄの出力に基づいて、フォーカスエラー信号およびトラッキングエラー信号が生成される。
【００２４】
図５は、０次光および−１次光により受光部８に形成される光スポットの例を示している。３０は、０次光Ｚにより受光部１０に形成される光スポットであり、３１ａ〜３１ｄは、−１次光Ｍａ〜Ｍｄにより受光素子１１ａ〜１１ｄに形成される光スポットである。受光素子１１ａ〜１１ｄ上の光スポット３１ａ〜３１ｄは、ホログラム素子６における分光によって、それぞれが扇形に形成される。受光部１１にこのような光スポット３１ａ〜３１ｄが形成される結果、受光素子１１ａ〜１１ｄの各受光セルの出力信号に対し所定の演算を行なうことで、サーボ制御用のフォーカスエラー信号とトラッキングエラー信号が得られる。たとえば、フォーカスエラー信号Ｓは次式により算出される。
Ｓ＝（Ａ２＋Ｂ１＋Ｂ３＋Ｃ１＋Ｃ３＋Ｄ２）−（Ａ１＋Ａ３＋Ｂ２＋Ｃ２＋Ｄ１＋Ｄ３）
ここで、Ａ２，Ｂ１，Ｂ３，…は、図３の受光セルＡ２，Ｂ１，Ｂ３…のそれぞれから得られる出力を表している。
【００２５】
このようにして、本実施形態では、図６の特性をもつハーフミラー３を用いた場合に、ＣＤに対応する波長（７８０ｎｍ）において入射角に対する透過率の変動が最大となること、および、この最大変動がθより入射角の大きい＋側で生じることに着目して、透過率の変動が小さい−側の−１次光Ｍを使用することで、透過率の入射角依存性の影響を抑制し、ＣＤ再生時における受光部８での光強度分布ずれを軽減することができる。この結果、−１次光Ｍに基づいてトラッキングエラーの検出を行う場合、光強度分布ずれによるトラッキングエラー信号のオフセットが低減されて、トラッキング制御の精度が向上する。
【００２６】
一方、ＤＶＤやＢＤ（ＨＤ−ＤＶＤ）では、図６からわかるように、透過率の変動は＋側より−側のほうが大きくなっている。このため、上記のようにＣＤに照準を合わせて、−側の−１次光Ｍを使用すると、ＤＶＤやＢＤ（ＨＤ−ＤＶＤ）では透過率の変動が大きくなる。しかしながら、ＤＶＤやＢＤ（ＨＤ−ＤＶＤ）の場合は、＋側と−側とでＣＤの場合ほど極端な透過率の差がないので、−１次光Ｍを使用することによる弊害は小さい。したがって、ＣＤに照準を合わせて−１次光Ｍを使用し、透過率の入射角依存性が最も大きいＣＤの場合の透過率変動を抑制することによって、全体として、透過率の入射角依存性の影響を最も小さくすることができ、３波長に対して最適化された光学系を得ることができる。
【００２７】
以上の説明では、図６のような特性をもつミラー３を用いた場合を例に挙げたが、図６は一例であって、他の特性をもったミラーを用いてもよいことはいうまでもない。その場合、たとえば、ＤＶＤに対応する波長（６５０ｎｍ）においてミラー３の透過率変動が最大となり、その最大変動がθより入射角の小さい−側で生じるのであれば、透過率変動が小さい＋側の＋１次光Ｐ（図２）を使用することで、透過率の入射角依存性の影響を抑制し、ＤＶＤ再生時における受光部８での光強度分布ずれを軽減しつつ、全体として、透過率の入射角依存性の影響を最も小さくすることができる。
【００２８】
また、図１に示した光学的構成も一例であって、これ以外の構成を採用することも可能である。たとえば、図１における発光素子１ａ，１ｂおよびプリズム２と、受光部８とは位置を入れ替えてもよい。また、図１ではコリメートレンズ４を出たレーザ光を全反射ミラー５により上方向へ９０°反射させているが、ハーフミラー３から対物レンズ７に至る光路を直線とし、全反射ミラー５を省略した構成としてもよい。
【００２９】
以上説明した実施形態では、ビームスプリッタとしてハーフミラー３を用いた例を挙げたが、ハーフミラーの代わりにプリズムを用いてもよい。また、上述した実施形態では、回折光学素子としてホログラム素子を用いた例を挙げたが、図４のような分光状態を作り出すことが可能なものであれば、ホログラム素子以外の回折光学素子を用いてもよい。また、上述した実施形態では、３波長互換型の光ピックアップ１００を例に挙げたが、本発明は２波長互換型の光ピックアップにも適用が可能であり、さらに４波長以上に対応する光ピックアップにも適用が可能である。
【図面の簡単な説明】
【００３０】
【図１】本発明に係る光ピックアップの光学的構成を示す図である。
【図２】受光系を示した図である。
【図３】受光部における受光素子の配置の例を示した図である。
【図４】０次光および−１次光の受光状態を模式的に示した図である。
【図５】０次光および−１次光により受光部に形成される光スポットの例である。
【図６】ミラーの透過率の波長依存性と入射角依存性の一例を示したグラフである。
【図７】図６を説明するための受光系の一例である。
【図８】光強度分布のシフトを説明する図である。
【符号の説明】
【００３１】
１ａ，１ｂ  発光素子
２    プリズム
３    ハーフミラー（ビームスプリッタ）
４    コリメートレンズ
５    全反射ミラー
６    ホログラム素子（回折光学素子）
７    対物レンズ
８    受光部
９    光ディスク
９ａ  情報記録面
１０  第１の受光部
１１  第２の受光部
１００  光ピックアップ
Ｚ  ０次光
Ｐ  ＋１次光
Ｍ  −１次光
θ，θ１，θ２  入射角
【図１】
2008059646.tif 000003
【図２】
2008059646.tif 000004
【図３】
2008059646.tif 000005
【図４】
2008059646.tif 000006
【図５】
2008059646.tif 000007
【図６】
2008059646.tif 000008
【図７】
2008059646.tif 000009
【図８】
2008059646.tif 000010